【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
複数の健診科目における受診者の健診結果が記録される記録媒体と、受診者を撮影する健診機器と、前記健診機器と共に用いられ、前記健診機器の健診科目用の装置として動作し、当該健診科目の健診結果を前記記録媒体に記録する健診工程端末と、を含むシステムにおける健診工程端末であって、
前記健診機器で撮影されることで得られる画像に対する検査番号を採番可能に制御する制御手段と、
前記制御手段により採番された検査番号を前記記録媒体に記録する記録手段と、
を備えることを特徴とする健診工程端末。
【請求項２】
前記制御手段により採番された検査番号を、受診者を撮影する前記健診機器の健診科目用の表示画面に表示する表示手段を備えることを特徴とする請求項１に記載の健診工程端末。
【請求項３】
前記検査番号は、前記健診機器で撮影されることで得られる画像に対応する撮影番号、又はフィルム番号であることを特徴とする請求項１又は２に記載の健診工程端末。
【請求項４】
前記記録媒体から、前記記録媒体に記録された情報を取得する取得手段を更に備え、
前記制御手段は、前記取得手段により前記記録媒体から前記情報を取得した場合に、前記検査番号を採番することを特徴とする請求項１乃至３の何れか１項に記載の健診工程端末。
【請求項５】
前記情報は、受診者を示す受診者情報であること特徴とする請求項４に記載の健診工程端末。
【請求項６】
前記記録手段は、前記制御手段により採番された前記検査番号を前記受診者情報と対応付けて前記記録媒体に記録することを特徴とする請求項５に記載の健診工程端末。
【請求項７】
前記記録手段は、前記制御手段により採番された前記検査番号を前記健診結果として前記記録媒体に記録することを特徴とする請求項１乃至６の何れか１項に記載の健診工程端末。
【請求項８】
前記記録媒体は、受診者が持ち運ぶ記録媒体であることを特徴とする請求項１乃至７の何れか１項に記載の健診工程端末。
【請求項９】
前記健診工程端末は、受診者を撮影する健診機器が用いられる健診科目を含む複数の健診科目のうち何れかの健診科目の健診機器と共に用いられ、当該健診機器の健診科目用の装置として動作し、当該健診科目の健診結果を前記記録媒体に記録する健診工程端末であり、
複数の健診科目を含むメニュー画面を表示する表示手段と、
前記表示手段により表示される前記メニュー画面に含まれる複数の健診科目の中から健診科目の選択を受け付ける受付手段と、
を備え、
前記制御手段は、前記受付手段により受け付けた健診科目が、健診機器が受診者を撮影する健診科目である場合には、前記健診機器で撮影されることで得られる画像に対する検査番号を採番可能に制御することを特徴とする請求項１乃至８の何れか１項に記載の健診工程端末。
【請求項１０】
前記記録手段は、前記受付手段により受け付けた健診科目が、健診機器が受診者を撮影する健診科目ではなく、健診機器から当該健診機器による健診結果を前記健診工程端末が受信する健診科目である場合には、当該健診機器から受信した当該健診結果を前記記録媒体に記録することを特徴とする請求項９に記載の健診工程端末。
【請求項１１】
複数の健診科目における受診者の健診結果が記録される記録媒体と、受診者を撮影する健診機器と、前記健診機器と共に用いられ、当該健診機器の健診科目用の装置として動作し、当該健診科目の健診結果を前記記録媒体に記録する健診工程端末と、を含むシステムにおける健診工程端末であって、
前記健診機器で撮影されることで得られる画像に対する検査番号を採番可能に制御する制御手段と、
前記制御手段により採番された検査番号を、受診者を撮影する前記健診機器の健診科目用の表示画面に表示する表示手段と、
前記健診機器の健診科目を通過したことを示す通過データを前記記録媒体に記録する記録手段と、
を備えることを特徴とする健診工程端末。
【請求項１２】
複数の健診科目における受診者の健診結果が記録される記録媒体と、受診者を撮影する健診機器と共に用いられ、前記健診機器の健診科目用の装置として動作し、当該健診科目の健診結果を前記記録媒体に記録する健診工程端末と、を含むシステムであって、
前記健診工程端末は、
前記健診機器で撮影されることで得られる画像に対する検査番号を採番可能に制御する制御手段と、
前記制御手段により採番された検査番号を前記記録媒体に記録する記録手段と、
を備えることを特徴とするシステム。
【請求項１３】
複数の健診科目における受診者の健診結果が記録される記録媒体と、受診者を撮影する健診機器と共に用いられ、当該健診機器の健診科目用の装置として動作し、当該健診科目の健診結果を前記記録媒体に記録する健診工程端末と、を含むシステムであって、
前記健診工程端末は、
前記健診機器で撮影されることで得られる画像に対する検査番号を採番可能に制御する制御手段と、
前記制御手段により採番された検査番号を、受診者を撮影する前記健診機器の健診科目用の表示画面に表示する表示手段と、
前記健診機器の健診科目を通過したことを示す通過データを前記記録媒体に記録する記録手段と、
を備えることを特徴とするシステム。
【請求項１４】
複数の健診科目における受診者の健診結果が記録される記録媒体と、受診者を撮影する健診機器と、前記健診機器と共に用いられ、前記健診機器の健診科目用の装置として動作し、当該健診科目の健診結果を前記記録媒体に記録する健診工程端末と、を含むシステムにおける健診工程端末の制御方法であって、
制御手段が、前記健診機器で撮影されることで得られる画像に対する検査番号を採番可能に制御する制御工程と、
記録手段が、前記制御工程により採番された検査番号を前記記録媒体に記録する記録工程と、
を含むことを特徴とする制御方法。
【請求項１５】
複数の健診科目における受診者の健診結果が記録される記録媒体と、受診者を撮影する健診機器と、前記健診機器と共に用いられ、当該健診機器の健診科目用の装置として動作し、当該健診科目の健診結果を前記記録媒体に記録する健診工程端末と、を含むシステムにおける健診工程端末の制御方法であって、
制御手段が、前記健診機器で撮影されることで得られる画像に対する検査番号を採番可能に制御する制御工程と、
表示手段が、前記制御工程により採番された検査番号を、受診者を撮影する前記健診機器の健診科目用の表示画面に表示する表示工程と、
記録手段が、前記健診機器の健診科目を通過したことを示す通過データを前記記録媒体に記録する記録工程と、
を含むことを特徴とする制御方法。
【請求項１６】
複数の健診科目における受診者の健診結果が記録される記録媒体と、受診者を撮影する健診機器と共に用いられ、前記健診機器の健診科目用の装置として動作し、当該健診科目の健診結果を前記記録媒体に記録する健診工程端末と、を含むシステムにおける制御方法であって、
前記健診工程端末の制御手段が、前記健診機器で撮影されることで得られる画像に対する検査番号を採番可能に制御する制御工程と、
前記健診工程端末の記録手段が、前記制御工程により採番された検査番号を前記記録媒体に記録する記録工程と、
を含むことを特徴とする制御方法。
【請求項１７】
複数の健診科目における受診者の健診結果が記録される記録媒体と、受診者を撮影する健診機器と共に用いられ、当該健診機器の健診科目用の装置として動作し、当該健診科目の健診結果を前記記録媒体に記録する健診工程端末と、を含むシステムにおける制御方法であって、
前記健診工程端末の制御手段が、前記健診機器で撮影されることで得られる画像に対する検査番号を採番可能に制御する制御工程と、
前記健診工程端末の表示手段が、前記制御工程により採番された検査番号を、受診者を撮影する前記健診機器の健診科目用の表示画面に表示する表示工程と、
前記健診工程端末の記録手段が、前記健診機器の健診科目を通過したことを示す通過データを前記記録媒体に記録する記録工程と、
を含むことを特徴とする制御方法。
【請求項１８】
コンピュータを、請求項１乃至１１の何れか１項に記載の健診工程端末の各手段として機能させるためのプログラム。
【手続補正２】
【補正対象書類名】明細書
【補正対象項目名】発明の名称
【補正方法】変更
【補正の内容】
【発明の名称】健診工程端末、システム、制御方法、プログラム
【手続補正３】
【補正対象書類名】明細書
【補正対象項目名】０００１
【補正方法】変更
【補正の内容】
【０００１】
本発明は、受診者を撮影する健診機器に対応可能な健診工程端末、システム、制御方法、プログラムに関し、特に出張健診に関する。
【手続補正４】
【補正対象書類名】明細書
【補正対象項目名】００１１
【補正方法】変更
【補正の内容】
【００１１】
本発明の目的は、受診者を撮影する健診機器に対応可能な仕組みを提供することである。
【手続補正５】
【補正対象書類名】明細書
【補正対象項目名】００１２
【補正方法】変更
【補正の内容】
【００１２】
本発明は、複数の健診科目における受診者の健診結果が記録される記録媒体と、受診者を撮影する健診機器と、前記健診機器と共に用いられ、前記健診機器の健診科目用の装置として動作し、当該健診科目の健診結果を前記記録媒体に記録する健診工程端末と、を含むシステムにおける健診工程端末であって、前記健診機器で撮影されることで得られる画像に対する検査番号を採番可能に制御する制御手段と、前記制御手段により採番された検査番号を前記記録媒体に記録する記録手段と、を備えることを特徴とする。
また、本発明は、複数の健診科目における受診者の健診結果が記録される記録媒体と、受診者を撮影する健診機器と、前記健診機器と共に用いられ、当該健診機器の健診科目用の装置として動作し、当該健診科目の健診結果を前記記録媒体に記録する健診工程端末と、を含むシステムにおける健診工程端末であって、前記健診機器で撮影されることで得られる画像に対する検査番号を採番可能に制御する制御手段と、前記制御手段により採番された検査番号を、受診者を撮影する前記健診機器の健診科目用の表示画面に表示する表示手段と、前記健診機器の健診科目を通過したことを示す通過データを前記記録媒体に記録する記録手段と、を備えることを特徴とする。
また、本発明は、複数の健診科目における受診者の健診結果が記録される記録媒体と、受診者を撮影する健診機器と共に用いられ、前記健診機器の健診科目用の装置として動作し、当該健診科目の健診結果を前記記録媒体に記録する健診工程端末と、を含むシステムであって、前記健診工程端末は、前記健診機器で撮影されることで得られる画像に対する検査番号を採番可能に制御する制御手段と、前記制御手段により採番された検査番号を前記記録媒体に記録する記録手段と、を備えることを特徴とする。
また、本発明は、複数の健診科目における受診者の健診結果が記録される記録媒体と、受診者を撮影する健診機器と共に用いられ、当該健診機器の健診科目用の装置として動作し、当該健診科目の健診結果を前記記録媒体に記録する健診工程端末と、を含むシステムであって、前記健診工程端末は、前記健診機器で撮影されることで得られる画像に対する検査番号を採番可能に制御する制御手段と、前記制御手段により採番された検査番号を、受診者を撮影する前記健診機器の健診科目用の表示画面に表示する表示手段と、前記健診機器の健診科目を通過したことを示す通過データを前記記録媒体に記録する記録手段と、を備えることを特徴とする。
【手続補正６】
【補正対象書類名】明細書
【補正対象項目名】００１３
【補正方法】変更
【補正の内容】
【００１３】
また、本発明は、複数の健診科目における受診者の健診結果が記録される記録媒体と、受診者を撮影する健診機器と、前記健診機器と共に用いられ、前記健診機器の健診科目用の装置として動作し、当該健診科目の健診結果を前記記録媒体に記録する健診工程端末と、を含むシステムにおける健診工程端末の制御方法であって、制御手段が、前記健診機器で撮影されることで得られる画像に対する検査番号を採番可能に制御する制御工程と、記録手段が、前記制御工程により採番された検査番号を前記記録媒体に記録する記録工程と、を備えることを特徴とする。
また、本発明は、複数の健診科目における受診者の健診結果が記録される記録媒体と、受診者を撮影する健診機器と、前記健診機器と共に用いられ、当該健診機器の健診科目用の装置として動作し、当該健診科目の健診結果を前記記録媒体に記録する健診工程端末と、を含むシステムにおける健診工程端末の制御方法であって、制御手段が、前記健診機器で撮影されることで得られる画像に対する検査番号を採番可能に制御する制御工程と、表示手段が、前記制御工程により採番された検査番号を、受診者を撮影する前記健診機器の健診科目用の表示画面に表示する表示工程と、記録手段が、前記健診機器の健診科目を通過したことを示す通過データを前記記録媒体に記録する記録工程と、を備えることを特徴とする。
また、本発明は、複数の健診科目における受診者の健診結果が記録される記録媒体と、受診者を撮影する健診機器と共に用いられ、前記健診機器の健診科目用の装置として動作し、当該健診科目の健診結果を前記記録媒体に記録する健診工程端末と、を含むシステムにおける制御方法であって、前記健診工程端末の制御手段が、前記健診機器で撮影されることで得られる画像に対する検査番号を採番可能に制御する制御工程と、前記健診工程端末の記録手段が、前記制御工程により採番された検査番号を前記記録媒体に記録する記録工程と、を含むことを特徴とする。
また、本発明は、複数の健診科目における受診者の健診結果が記録される記録媒体と、受診者を撮影する健診機器と共に用いられ、当該健診機器の健診科目用の装置として動作し、当該健診科目の健診結果を前記記録媒体に記録する健診工程端末と、を含むシステムにおける制御方法であって、前記健診工程端末の制御手段が、前記健診機器で撮影されることで得られる画像に対する検査番号を採番可能に制御する制御工程と、前記健診工程端末の表示手段が、前記制御工程により採番された検査番号を、受診者を撮影する前記健診機器の健診科目用の表示画面に表示する表示工程と、前記健診工程端末の記録手段が、前記健診機器の健診科目を通過したことを示す通過データを前記記録媒体に記録する記録工程と、を含むことを特徴とする。
また、本発明は、コンピュータを、上述した健診工程端末の各手段として機能させるためのプログラムである。
【手続補正７】
【補正対象書類名】明細書
【補正対象項目名】００１４
【補正方法】変更
【補正の内容】
【００１４】
本発明によれば、受診者を撮影する健診機器に対応可能な仕組みを提供することができる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】